(57)【要約】染料を入れるための上面が開口したカップ部１１を有し，カップ部１１の上端面もしくはカップ部１１の内面に，櫛歯１５が並べて設けられている。櫛歯１５を利用することにより，ブラシ４５等から余計な染料を削ぎ落としたりブラシ部４６などの形を整え作業が容易にでき，また，ブラシ４５等に付着した毛髪やほこりなどを手を汚さずに除去できる。
2004091336.tif 000002
【特許請求の範囲】
【請求項１】
染料カップであって，
染料を入れるための上面が開口したカップ部を有し，
カップ部の上端面もしくはカップ部の内面上方に，櫛歯が並べて設けられている。
【請求項２】
クレーム１の染料カップにおいて，前記染料はヘアカラーである。
【請求項３】
クレーム１の染料カップにおいて，カップ部の内面上方に凹部が形成され，この凹部に複数の櫛歯が並べて設けてある。
【請求項４】
クレーム１の染料カップにおいて，カップ部の外側にカップ部を保持するためのハンドル部が設けてあり，該ハンドル部の基部近傍に前記櫛歯が設けられている。
【発明の詳細な説明】
【技術分野】  本発明は，本発明は，ヘアカラーカップの如き染料を入れるための染料カップに関する。
発明の背景
理髪店や美容院などにおいては，ヘアカラー（毛髪を染めるための染毛剤）を入れたカップを椅子に座った顧客の頭部近くに置き，理容師や美容師がブラシ等でヘアカラーをカップから掬い取って顧客の毛髪に塗布している。ヘアカラーカップに関し，例えば特開２０００−３１６６２７号が公知である。
塗布する際には，ブラシ等の先端のブラシ部をカップ内のヘアカラー中に一旦浸し，それからブラシ部をカップ上端部などに押し付けて余計なヘアカラーを削ぎ落とし，ブラシ部の形を整えてから，顧客の毛髪に塗布するようにしている。従来のヘアカラーカップでは，このようにブラシ部から余計なヘアカラーを削ぎ落としたりブラシ部の形を整える際に，誤ってカップの外にヘアカラーを垂らしたり，あるいは，ブラシ部から削ぎ落とされたヘアカラーがカップ上端部から外側に垂れるといった問題を生じやすい。
また，ブラシ等で顧客の毛髪にヘアカラーを塗布していると，毛髪（抜毛等）やほこりなどがブラシ等に付着することがあるが，その場合，ブラシ等にはみ出て付着した毛髪やほこりなどにもヘアカラーが付いてしまうので，そのまま塗布した場合，毛髪やほこりなどに付着したヘアカラーが，毛髪，頭皮以外の箇所にも付着し，顧客の顔や，肌，衣服を汚してしまうといった問題を生ずる。
このような問題を回避するために，理容師や美容師は，塗布する際にブラシ等に付着した毛髪やほこりなどをいちいち手で取り除いているが，そうすると，理容師や美容師の手にヘアカラーが付着してしまう。また，そのようなヘアカラーが付着した手で触れることにより，顧客の顔や肌，衣服，あるいはその周辺を汚してしまうといった問題を生ずる。
【発明の開示】
従って本発明の目的は，ヘアカラーカップの如き染料を入れるための染料カップにおいて，ブラシ等から余計な染料を削ぎ落としたりブラシ部などの形を整える作業が容易にでき，また，ブラシ等に付着した毛髪やほこりなどを手を汚さずに除去できるようにすることにある。
この目的を達成するために，本発明の染料カップは，染料を入れるための上面が開口したカップ部を有し，カップ部の上端面もしくはカップ部の内面に，櫛歯が並べて設けられている。前記染料は，例えばヘアカラーである。カップ部の内面上方に凹部を形成し，この凹部に複数の櫛歯を並べて設けても良い。また，カップ部の外側にカップ部を保持するためのハンドル部を設け，該ハンドル部の基部近傍に前記櫛歯を設けても良い。
本発明によれば，ブラシ等から余計な染料を削ぎ落としたりブラシ部などの形を整え作業が容易にでき，また，ブラシ等に付着した毛髪やほこりなどを手を汚さずに除去できる。
【図面の簡単な説明】  図１は，本発明の実施の形態にかかるヘアカラーカップの平面図である。
図２は，本発明の実施の形態にかかるヘアカラーカップの側面図である。
図３は，図１におけるＸ−Ｘ線断面矢視図である。
図４は，図１におけるＹ−Ｙ線断面矢視図である。
図５は，本発明の実施の形態にかかるヘアカラーカップの使用状態の説明図である。
図６は，本発明の実施の形態にかかるヘアカラーカップの使用状態の説明図である。
図７は，カップ部内面に直接櫛歯を設けた本発明の他の実施の形態にかかるヘアカラーカップの縦断面図である。
図８は，櫛歯を縦方向に並べて配置した本発明の他の実施の形態にかかるヘアカラーカップの縦断面図である。
図９は，カップ部内面の底部に櫛歯を配置した本発明の他の実施の形態にかかるヘアカラーカップの縦断面図である。
図１０は，カップ部の上端面に櫛歯を配置した本発明の他の実施の形態にかかるヘアカラーカップの縦断面図である。
【発明を実施するための最良の形態】  以下，本発明の好ましい実施の形態を，図面を参照にして説明する。なお，この実施の形態では，理髪店や美容院などにおいて，毛髪を染めるためのヘアカラーを入れるヘアカラーカップについて説明する。
図１〜４に示すように，この実施の形態にかかるヘアカラーカップ１は，染料としてのヘアカラーａを入れるべくほぼ半球形状に凹んで形成され，上面が開口した液溜め部１０を有するカップ部１１を有している。このカップ部１１の外側には，カップ部１１を保持するためのハンドル部１２が設けてある。
カップ部１１の内面上方（液溜め部１０の上方）には，複数の櫛歯１５が並べて設けてある。この実施の形態では，カップ部１１の内面上方においてハンドル部１２の基部が取り付けられている箇所の近傍に凹部１６が形成されており，この凹部１６に，垂直上向きの複数の櫛歯１５がほぼ等間隔の隙間を空けて平行に並べて配置されている。各櫛歯１５は長さが等しく，各櫛歯１５の上端高さは，カップ部１１の開口上端部とほぼ等しい。
前述のように半球形状に凹んで形成された液溜め部１０の内面には，計量用の目盛となるアラビア数字１７が記載されている。このように液溜め部１０の内面に記載された各アラビア数字１７は，１０単位で上方ほど大きい数字となっており，液溜め部１０に入れられたヘアカラーａの液面の高さに最も近いアラビア数字１７を読むことによって，ヘアカラーａの量（ｃｃ）を把握できるようになっている。なお，ヘアカラーカップ１をどのような向きから見てもアラビア数字１７を読めるように，液溜め部１０の内面において３方向の位置（１２０°間隔）にアラビア数字１７が記載されている。
カップ部１１の外面には，水平方向に伸びる環状の溝２０が複数段（図示の例では３段）に形成されている。これら各溝２０の直径は，下の溝２０ほど小さい。また，各溝２０同士の間は，下に向って絞られた凸曲面になっている。
また，カップ部１１の外面上方には，カップ部１１の上端から外側に突出する注ぎ口２１が形成されている。カップ部１１の底面には，複数箇所（例えば５箇所）にスポンジゴム２２が埋め込んである。
ハンドル部１２は，その基部から順に幅広部２５，中間部２６，幅狭部２７の３つの部分で構成されており，幅広部２５と中間部２６の間に溝２８が形成され，中間部２６と幅狭部２７の間に溝２９が形成されている。これら幅広部２５，中間部２６，幅狭部２７には，上下方向に貫通する平面視で楕円形状の孔３０，３１，３２がそれぞれ設けられている。これらのうち，幅広部２５に設けられた孔３０が最も大きく，幅狭部２７に設けられた孔３２が最も小さく，中間部２６に設けられた孔３１は，幅広部２５の孔３０と幅狭部２７の孔３２の中間程度の大きさである。
ハンドル部１２を横から見ると，ハンドル部１２の中心線Ｌが上に凸となるように湾曲しており，かつ，中心線Ｌがハンドル部１２の先端（カップ部１１の外側に取付けられるカップ部１１の基部と反対となる端側）に向って下がるように，僅かに傾斜して設けられている。
また，ヘアカラーカップ１を上から見ると，カップ部１１の外面上方に形成されている注ぎ口２１の位置を示す中心線Ｌ’と，ハンドル部１２の中心線Ｌとは，９０°よりも大きい角度で交差するように，注ぎ口２１とハンドル部１２の位置関係が設定されている。
さて，理髪店や美容院などにおいて，この実施の形態にかかるヘアカラーカップ１を用いて毛染めを行う場合，理容師や美容師は，椅子に座った顧客の近くのワゴンの上やサイドボード，テーブルなどの上にヘアカラーカップ１を置き，椅子に座った顧客の頭部近くにヘアカラーカップ１を置く。この場合，ワゴン等の上面にヘアカラーカップ１を載せて置く場合であれば，カップ部１１底面の複数箇所に埋め込まれたスポンジゴム２２がワゴン等の上面に接触するので，平らなワゴン等の上面にヘアカラーカップ１をぐらつかせずに安定させて置くことができる。なお，カップ部１１の底面において５箇所にスポンジゴム２２を埋め込んだ場合は，一本の連続したゴムリングをカップ部１１底面に配置した場合やカップ部１１底面の３，４箇所にスポンジゴムを埋め込んだ場合に比べてより安定する。
また，図５に示すように，ワゴン等の上面４０にはヘアカラーカップ１を保持するための円孔４１が設けられている場合もある。そのような場合は，カップ部１１の下半部を円孔４１に挿入することによって，ヘアカラーカップ１を更に安定させて保持することができる。その場合，このヘアカラーカップ１にあっては，カップ部１１の外面が全体として下に向って絞られた凸曲面に形成され，かつ，カップ部１１外面には，下に行くほど直径が小さい溝２０が複数段に形成されている。このため，図５に示すようにカップ部１１の下半部を円孔４１に挿入した場合は，適当な溝２０の箇所でカップ部１１外面が円孔４１に嵌り込んだ状態となり，ぐらつかずに安定してヘアカラーカップ１が保持される。
そして，染料としてのヘアカラーａをヘアカラーカップ１の液溜め部１０に入れる際には，カップ部１１内面（液溜め部１０）に計量用のアラビア数字１７が記載されているので，理容師や美容師は，液溜め部１０に入れたヘアカラーａの液面の高さに最も近いアラビア数字１７を読むことによって，ヘアカラーａの量（ｃｃ）を容易に把握できる。この場合，液溜め部１０の内面に３方向の位置（１２０°間隔）にアラビア数字１７が記載されているので，ヘアカラーカップ１をどのような向きから見てもアラビア数字１７を読むことができる。
そして，理容師や美容師は，例えばブラシ４５の先端のブラシ部４６をヘアカラーカップ１の液溜め部１０に入れ，ヘアカラーａ中にブラシ部４６を浸す。こうしてブラシ部４６にヘアカラーａを付着させて，液溜め部１０から掬い取ったヘアカラーａを顧客の毛髪に塗布する。
このように液溜め部１０からヘアカラーａを掬い取る際には，液溜め部１０が半球形状に凹んだ形状であるので，液溜め部１０に入れられたヘアカラーａが横に広がらず，液溜め部１０の底部中央に集まるので，ヘアカラーａを掬い取りやすい。
そして，顧客の毛髪に塗布する際にブラシ部４６に付着したヘアカラーａの量が多過ぎるような場合は，図６に示すように，カップ部１１の内面上方に並べて設けられた複数の櫛歯１５にブラシ部４６を押し当て，ブラシ４５を動かしてブラッシングすることにより，余分なヘアカラーａをブラシ部４６から容易に削ぎ落とすことができる。また，このように櫛歯１５にブラシ部４６を押し当ててブラッシングすることにより，ブラシ部４６の形も整えることができる。こうして，形を整えたブラシ部４６に適量のヘアカラーａを付着させて顧客の毛髪に塗布することにより，作業がやりやすくなり，また，途中でヘアカラーａがブラシ部４６から垂れたりすることがない。
また，このようにブラシ４５で顧客の毛髪にヘアカラーａを塗布していると，毛髪やほこりなどがブラシ部４６に付着することがある。そのような場合にも，図６に示すように，カップ部１１の内面上方に並べて設けられた複数の櫛歯１５にブラシ部４６を押し当て，ブラシ４５を動かしてブラッシングすることにより，ブラシ部４６に付着した毛髪やほこりなどを，手を汚さずに容易に除去することができる。
そして，櫛歯１５によってブラシ部４６をブラッシングした際には，ブラシ部４６からヘアカラーａが垂れることになるが，そのようにブラシ部４６から垂れたヘアカラーａは，凹部１６に受取られた後，カップ部１１の内面を伝わって液溜め部１０に流れ落ちるので，カップ部１１の外側に垂れることがなく，周りを汚さない。
また，このように櫛歯１５によってブラシ部４６をブラッシングする場合，ハンドル部１２の基部が取り付けられている箇所の近傍に櫛歯１５が並べて配置されているので，図６に示すように，ブラッシングする際に，ブラシ４５を持っていない方の手でハンドル部１２を押えることにより，櫛歯１５を安定させることができ，ブラッシングしやすい。
そして，作業を中断する等，ブラシ４５を使わない場合は，図５に示すように，ブラシ部４６を上にした姿勢でブラシ４５を孔３０に差込んでおくことにより，ワゴン等の上面４０を汚さずに，ブラシ４５を立てておくことができる。
また，ハンドル部１２を握ってヘアカラーカップ１を手に持つ場合は，ハンドル部１２全体が凸となるように湾曲し，ハンドル部１２の先端に向って下がるように傾斜しているので，ハンドル部１２が手から抜け落ちにくく，ヘアカラーカップ１が重たい場合でも，滑らずにしっかりと保持することができる。
また，ハンドル部１２を持ちながら液溜め部１０に入れたヘアカラーａを注ぎ口２１から流し出す場合，注ぎ口２１とハンドル部１２が９０°よりも大きい角度で交差するような位置関係となっており，ヘアカラーａを注ぎ口２１から流し出す作業がしやすい。
以上，本発明の好ましい実施の形態の一例を示したが，本発明はここに例示した形態に限定されない。図１〜６では，カップ部１１の内面においてハンドル部１２の基部が取り付けられている箇所の近傍に凹部１６を形成し，そこに櫛歯１５を配置した例を示したが，図７に示すように，カップ部１１の内面に凹部を形成せずに，カップ部１１の内面に直接櫛歯１５を設けても良い。なお，櫛歯１５の突出方向は，図１〜６で説明したような垂直上向きに限られない。例えば，図７中に実線で示した櫛歯１５のように水平横向でも良いし，図７中に一点鎖線で示した櫛歯１５’のように斜め下向でも良いし，図７中に二点鎖線で示した櫛歯１５”のように斜め上向でも良い。いずれの場合も，複数本の櫛歯をほぼ等間隔の隙間を空けて平行に並べて配置するのが良い。また図８に示すように，複数本の櫛歯１５を横ではなく縦方向にほぼ等間隔の隙間を空けて平行に並べて配置することも可能である。もちろん複数本の櫛歯１５を斜めの方向にほぼ等間隔の隙間を空けて平行に並べて配置することも可能である。なお，図７，８に示した実施の形態は，カップ部１１の内面に凹部を形成しない点，及び櫛歯１６の向きを変えた点を除けば，先に図１〜６で説明した実施の形態と同様の構成を有している。よって，図７，８において，先に図１〜６で説明した実施の形態と共通する構成要素については，同じ符合を付することにより，重複した説明を省略する。
また図９に示すように，櫛歯１５をカップ部１１の内面底部に設けることもできる。
更に，図１０に示すように，例えばカップ部１１の上端面に櫛歯１５を並べて設けても良い。また，図９，１０に示した実施の形態においても，櫛歯１５の向きは，鉛直方向に限らず，横に向って突出する櫛歯や斜め上向きもしくは斜め下向きに向って突出するような櫛歯であっても良い。
なお，図９，１０においても，先に図１〜６で説明した実施の形態と共通する構成要素については，同じ符合を付することにより，重複した説明を省略する。
また，櫛歯１５の長さは任意であり，櫛歯１５の上端高さは，必ずしもカップ部１１の開口上端部とほぼ等しくなくても良く，櫛歯１５の上端高さがカップ部１１の開口上端部よりも低くても良いし，逆に高くても良い。
また，櫛歯１５の配置は，ハンドル部１２の基部が取り付けられている箇所の近傍に限られず，ハンドル部１２の基部から離れた位置に櫛歯１５があっても良い。
また，このヘアカラーカップ１は，透明な材料で構成すれば，外側から液溜め部１０に入れたヘアカラーａの色や量なども容易に目視できる。また，透明な材料で構成されていれば，カップ部１１外面に形成されている溝２０をカップ部１１の内面から見ることができ，溝２０を基準にしてヘアカラーａの量を把握することも可能となる。例えば，リタッチ用にヘアカラーａの量を少なくしたり，全頭用にヘアカラーａの量を多くしたりすることも容易となる。
また，カップ部１１内面（液溜め部１０）に凸部を適宜配置することにより，混ざりにくいクリーム等もダマにしないで混ぜることができ，短時間で乳化させることも可能となる。その場合，カップ部１１内面（液溜め部１０）に形成する凸部は，縦線上，環状線上等，任意の位置に配置することができる。
その他，ハンドル部１２やカップ部１１外面ｂなどをエッチングすることにより，全体として滑りにくいヘアカラーカップ１を提供できる。
本発明の染料カップは，ヘアカラーカップに限らない。例えば画材やその他の塗料など，種々の染料をいれる染料カップに適用できる。また，その容量も任意であり，例えば，３００ｃｃ，１リットル等，種々の容量のカップを提供できる。
【産業上の利用可能性】  本発明の染料カップは，例えば理髪店や美容院などにおいて利用される。
【符号の説明】
１    ヘアカラーカップ
ａ    ヘアカラー
１０  液溜め部
１１  カップ部
１２  ハンドル部
１５  櫛歯
１６  凹部
１７  アラビア数字
２０  溝
２１  注ぎ口
３０，３１，３２  孔
４５  ブラシ
４６  ブラシ部
【図１】
2004091336.tif 000003
【図２】
2004091336.tif 000004
【図３】
2004091336.tif 000005
【図４】
2004091336.tif 000006
【図５】
2004091336.tif 000007
【図６】
2004091336.tif 000008
【図７】
2004091336.tif 000009
【図８】
2004091336.tif 000010
【図９】
2004091336.tif 000011
【図１０】
2004091336.tif 000012
【国際調査報告】
2004091336.tif 000013
2004091336.tif 000014
2004091336.tif 000015